【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】
複数の第２の無線通信装置と通信する第１の無線通信装置および前記第２の無線通信装置のいずれかを通信先として通信する通信手段と、
複数の無線通信装置の中から前記第１の無線通信装置を特定できる関連情報を記憶する記憶手段と、
前記関連情報に基づいて第１の無線通信装置を通信先として接続処理を行う制御手段とを含む、無線通信装置。
【請求項２】
前記無線通信装置の記憶手段は、前記第１の無線通信装置および前記第２の無線通信装置のいずれかから送信される関連情報を記憶する、請求項１に記載の無線通信装置。
【請求項３】
前記無線通信装置は、前記通信手段により他の無線通信装置からの関連情報要求コマンドを受信した際に、関連情報要求コマンドを送信してきた無線通信装置に対して前記記憶手段に記憶される関連情報を返信するように前記通信手段を制御する応答制御手段をさらに含む、請求項１または２のいずれかに記載の無線通信装置。
【請求項４】
前記無線通信装置が扱う関連情報は、複数の無線通信装置が互いを識別するために利用される情報を含む、請求項１〜３のいずれかに記載の無線通信装置。
【請求項５】
前記無線通信装置が扱う関連情報は、前記第１の無線通信装置に固有な識別情報を含む、請求項１〜４のいずれかに記載の無線通信装置。
【請求項６】
前記無線通信装置は、さらに表示手段を有し、ユーザに無線通信装置の接続状況を知らせることのできる請求項１〜５のいずれかに記載の無線通信装置。
【請求項７】
複数の第２の無線通信装置と通信する第１の無線通信装置および前記第２の無線通信装置のいずれかを通信先として通信する通信ステップと、
複数の無線通信装置の中から前記第１の無線通信装置を特定できる関連情報を記憶する記憶ステップと、
前記関連情報に基づいて第１の無線通信装置を通信先として接続処理を行う制御ステップを含む、無線通信方法。
【請求項８】
前記無線通信方法の記憶ステップは、前記第１の無線通信装置および前記第２の無線通信装置のいずれかから送信される関連情報を記憶する、請求項７に記載の無線通信方法。
【請求項９】
前記無線通信方法は、前記通信ステップにおいて他の無線通信装置からの関連情報要求コマンドを受信した際に、関連情報要求コマンドを送信してきた無線通信装置に対して前記記憶ステップにおいて記憶される関連情報を返信する応答ステップをさらに含む、請求項７または８のいずれかに記載の無線通信方法。
【請求項１０】
前記無線通信方法で扱う関連情報は、複数の無線通信装置が互いを識別するために利用される情報を含む、請求項７〜９のいずれかに記載の無線通信方法。
【請求項１１】
前記無線通信方法で扱う関連情報は、前記第１の無線通信装置に固有な識別情報を含む、請求項７〜１０のいずれかに記載の無線通信方法。
【請求項１２】
前記無線通信方法は、さらにユーザに無線通信装置の接続状況を知らせる表示ステップを含む、請求項７〜１１のいずれかに記載の無線通信方法。
【請求項１３】
複数の第２の無線通信装置と通信する第１の無線通信装置および前記第２の無線通信装置のいずれかを通信先として通信する通信手段を含むコンピュータを用いて、
請求項７〜１２のいずれかに記載の無線通信方法を前記コンピュータに実現させるためのプログラム。
【請求項１４】
請求項１３に記載のプログラムを記録した記録媒体。
【請求項１５】
マスタ・スレーブ型のネットワークを形成する無線通信装置であって、
マスタ装置およびスレーブ装置のいずれかを通信先として通信する通信手段と、
複数の無線通信装置の中からマスタ装置を特定する情報を記憶する記憶手段と、
前記マスタ装置を特定する情報を用いてマスタ装置と接続する制御手段とを含む無線通信装置。
【請求項１６】
前記無線通信装置の記憶手段は、マスタ装置およびスレーブ装置のいずれかから送信されるマスタ装置を特定する情報を記憶する、請求項１５に記載の無線通信装置。
【請求項１７】
前記マスタ・スレーブ型のネットワークを形成する無線通信装置は、通信手段により他の無線通信装置からのマスタ装置を特定する情報を要求するコマンドを受信した際に、前記コマンドを送信してきた無線通信装置に対して記憶手段に記憶されるマスタ装置を特定する情報を返信するように前記通信手段を制御する応答制御手段をさらに含む、請求項１５または１６のいずれかに記載の無線通信装置。
【請求項１８】
前記無線通信装置が扱うマスタ装置を特定する情報は、複数の無線通信装置を互いに識別するために各々の無線通信装置に付けられるデバイス名に含ませることで、無線通信装置どうしがデバイス名を交換する際にマスタ装置を特定する情報を知ることが可能な、請求項１５〜１７のいずれかに記載の無線通信装置。
【請求項１９】
前記無線通信装置が扱うマスタ装置を特定する情報は、マスタ装置に固有のＢＤアドレス情報である、請求項１５〜１８のいずれかに記載の無線通信装置。
【請求項２０】
前記無線通信装置は、さらに液晶パネルやＬＥＤランプによる視覚的表現、スピーカーによる聴覚的表現、バイブレータによる触覚的表現のいずれかによる表示手段を有し、ユーザに対して無線通信装置の接続状況を知らせることができる請求項１５〜１９のいずれかに記載の無線通信装置。
【手続補正２】
【補正対象書類名】明細書
【補正対象項目名】０００７
【補正方法】変更
【補正の内容】
【０００７】
【課題を解決するための手段】
第１の発明に係る無線通信装置は、複数の第２の無線通信装置と通信する第１の無線通信装置および第２の無線通信装置のいずれかを通信先として通信する通信手段と、複数の無線通信装置の中から第１の無線通信装置を特定できる関連情報を記憶する記憶手段と、関連情報に基づいて第１の無線通信装置を通信先として接続処理を行う制御手段とを含む。
【手続補正３】
【補正対象書類名】明細書
【補正対象項目名】０００９
【補正方法】変更
【補正の内容】
【０００９】
第２の発明に係る無線通信装置は、第１の発明の構成に加えて、記憶手段が、第１の無線通信装置および第２の無線通信装置のいずれかから送信される関連情報を記憶する。
【手続補正４】
【補正対象書類名】明細書
【補正対象項目名】００１１
【補正方法】変更
【補正の内容】
【００１１】
第３の発明に係る無線通信装置は、第１または２のいずれかの発明の構成に加えて、無線通信装置は、通信手段により他の無線通信装置からの関連情報要求コマンドを受信した際に、関連情報要求コマンドを送信してきた無線通信装置に対して記憶手段に記憶される関連情報を返信するように通信手段を制御する応答制御手段をさらに含む。
【手続補正５】
【補正対象書類名】明細書
【補正対象項目名】００１３
【補正方法】変更
【補正の内容】
【００１３】
第４の発明に係る無線通信装置は、第１〜３の発明のいずれかの構成に加えて、複数の無線通信装置が互いを識別するために利用される情報を無線通信装置が扱う関連情報とする。
【手続補正６】
【補正対象書類名】明細書
【補正対象項目名】００１４
【補正方法】変更
【補正の内容】
【００１４】
第４の発明によると、通信相手が特定しにくい無線通信において規定されることが多い、複数の無線通信装置が互いを識別するために利用される情報を利用することができる。このような情報は、前述した規定に従って、無線通信装置間で通信され、通信相手を特定する。このような情報のなかには、情報の内容をユーザまたは無線通信装置によって任意に変更できるよう規定されているものがある。たとえばブルートゥースにおけるデバイス名がそれにあたる。そのような情報に関連情報を含めておくと、その情報を受信した無線通信装置は、あらためて関連情報を入手する必要がない。これにより、無線通信装置は関連情報を通信する作業を省略することができるので、電力の消費を抑え、処理速度の低下を防ぐことができる。その結果、消費電力が低く、処理速度が速い無線通信装置を提供することができる。
【手続補正７】
【補正対象書類名】明細書
【補正対象項目名】００１５
【補正方法】変更
【補正の内容】
【００１５】
第５の発明に係る無線通信装置は、第１〜４の発明のいずれかの構成に加えて、第１の無線通信装置に固有な識別情報を無線通信装置が扱う関連情報とする。
【手続補正８】
【補正対象書類名】明細書
【補正対象項目名】００１７
【補正方法】変更
【補正の内容】
【００１７】
第６の発明に係る無線通信装置は、第１〜５の発明のいずれかの構成に加えて、さらに表示手段を有し、ユーザに無線通信装置の接続状況を知らせることができる。第７の発明に係る無線通信方法は、複数の第２の無線通信装置と通信する第１の無線通信装置および第２の無線通信装置のいずれかを通信先として通信する通信ステップと、複数の無線通信装置の中から第１の無線通信装置を特定できる関連情報を記憶する記憶ステップと、関連情報に基づいて第１の無線通信装置を通信先として接続処理を行う制御ステップとを含む。
【手続補正９】
【補正対象書類名】明細書
【補正対象項目名】００１８
【補正方法】変更
【補正の内容】
【００１８】
第７の発明によると、記憶ステップで記憶された関連情報に基づいて、制御ステップにおいて、通信先を第１の無線通信装置に設定する。関連情報に基づき、通信先を第１の無線通信装置に設定することで、第７の発明を実施する無線通信装置が構築するネットワークの構造が制御される。第７の発明を実施する無線通信装置が第１の無線通信装置を中心とするネットワークに新たに加わっても、１台の第１の無線通信装置対複数の第２の無線通信装置からなるネットワークの構造は維持できるからである。このような１対多の無線通信装置からなるネットワークにおいては、無線通信装置同士が通信するために必要な、通信を開始するタイミングの統一を、すべての無線通信装置について容易に図ることができる。ネットワークを構成するすべての無線通信装置は、通信を開始するタイミングを、第１の通信装置に合わせればよいからである。これにより、第７の発明を実施する無線通信装置は、ネットワーク内のある無線通信装置から別の無線通信装置へ通信先を変えるたびに通信を開始するタイミングを合わせ直す必要がなくなるので、電力の消費を抑え、処理速度の低下を防ぐことができる。その結果、消費電力が低く、処理速度が速い無線通信方法を提供することができる。
【手続補正１０】
【補正対象書類名】明細書
【補正対象項目名】００１９
【補正方法】変更
【補正の内容】
【００１９】
第８の発明に係る無線通信方法は、第７の発明の構成に加えて、記憶ステップにおいて、第１の無線通信装置および第２の無線通信装置のいずれかから送信される関連情報を記憶する。
【手続補正１１】
【補正対象書類名】明細書
【補正対象項目名】００２０
【補正方法】変更
【補正の内容】
【００２０】
第８の発明によると、記憶ステップにおいて、関連情報を記憶していない場合、周囲の無線通信装置から関連情報を受信して記憶することができる。これにより、ネットワークに新しく加入しようとする場合、オペレータなどが関連情報を入力する必要がなくなる。その結果、使い勝手が良い無線通信方法を提供することができる。
【手続補正１２】
【補正対象書類名】明細書
【補正対象項目名】００２１
【補正方法】変更
【補正の内容】
【００２１】
第９の発明に係る無線通信方法は、第７または８のいずれかの発明の構成に加えて、通信ステップにおいて他の無線通信装置からの関連情報要求コマンドを受信した際に、関連情報要求コマンドを送信してきた無線通信装置に対して記憶ステップにおいて記憶される関連情報を返信する応答ステップをさらに含む。
【手続補正１３】
【補正対象書類名】明細書
【補正対象項目名】００２２
【補正方法】変更
【補正の内容】
【００２２】
第９の発明によると、関連情報要求コマンドを送信してきた無線通信装置に対して記憶ステップにおいて記憶される関連情報を送信することができる。これにより、第１の無線通信装置と接続しようとする無線通信装置に、関連情報を通知することができる。
【手続補正１４】
【補正対象書類名】明細書
【補正対象項目名】００２３
【補正方法】変更
【補正の内容】
【００２３】
第１０の発明に係る無線通信方法は、第７〜９の発明のいずれかの構成に加えて、複数の無線通信装置が互いを識別するために利用される情報を無線通信方法で扱う関連情報とする。
【手続補正１５】
【補正対象書類名】明細書
【補正対象項目名】００２４
【補正方法】変更
【補正の内容】
【００２４】
第１０の発明によると、通信相手が特定しにくい無線通信において規定されることが多い、複数の無線通信装置が互いを識別するために利用される情報を利用することができる。このような情報は、前述した規定に従って、無線通信装置間で通信され、通信相手を特定する。このような情報のなかには、情報の内容をユーザまたは無線通信装置によって任意に変更できるよう規定されているものがある。たとえばブルートゥースにおけるデバイス名がそれにあたる。そのような情報に関連情報を含めておくと、その情報を受信した無線通信装置は、あらためて関連情報を入手する必要がない。これにより、本発明に係る無線通信方法を実施する無線通信装置は、関連情報を通信するステップを省略することができるので、電力の消費を抑え、処理速度の低下を防ぐことができる。その結果、消費電力が低く、処理速度が速い無線通信方法を提供することができる。
【手続補正１６】
【補正対象書類名】明細書
【補正対象項目名】００２５
【補正方法】変更
【補正の内容】
【００２５】
第１１の発明に係る無線通信方法は、第７〜１０の発明のいずれかの構成に加えて、第１の無線通信装置に固有な識別情報を無線通信方法で扱う関連情報とする。
【手続補正１７】
【補正対象書類名】明細書
【補正対象項目名】００２６
【補正方法】変更
【補正の内容】
【００２６】
第１１の発明によると、制御ステップにおいては、たとえばブルートゥースにおけるＢＤ＿ＡＤＤＲ情報のような、第１の無線通信装置に固有な情報を用いて、第１の無線通信装置を直接に特定することができる。これにより、第１の無線通信装置を特定するためにデータベースを利用するなどの特別なステップが不要になる。その結果、構成がより簡単な無線通信方法を提供することができる。
【手続補正１８】
【補正対象書類名】明細書
【補正対象項目名】００２７
【補正方法】変更
【補正の内容】
【００２７】
第１２の発明に係る無線通信方法は、第７〜１１の発明のいずれかの構成に加えて、さらにユーザに無線通信装置の接続状況を知らせる表示ステップを含む。第１３の発明に係るプログラムは、複数の第２の無線通信装置と通信する第１の無線通信装置および第２の無線通信装置のいずれかを通信先として通信する通信手段を含むコンピュータを用いて、第７〜１２の発明のいずれかに記載の無線通信方法をコンピュータに実現させるためのものである。
【手続補正１９】
【補正対象書類名】明細書
【補正対象項目名】００２８
【補正方法】変更
【補正の内容】
【００２８】
第１３の発明によると、この発明を実施するコンピュータは、第２の無線通信装置として第１の無線通信装置に接続される。このとき１対多の無線通信装置からなるネットワークが構築される。このネットワーク内のすべての無線通信装置は、無線通信装置同士が通信するために必要な、通信を開始するタイミングの統一を容易に図ることができる。ネットワークを構成するすべての無線通信装置は、通信を開始するタイミングを、第１の通信装置に合わせることができるからである。これにより、本発明を実施するコンピュータは、ネットワーク内のある無線通信装置から別の無線通信装置へ通信先を変えるたびに通信を開始するタイミングを合わせ直す必要がなくなる。その結果、通信を開始するタイミングを合わせ直す作業を省くことで、電力の消費を抑え、処理速度の低下を防ぐことができる無線通信方法を実現するプログラムを提供できる。
【手続補正２０】
【補正対象書類名】明細書
【補正対象項目名】００２９
【補正方法】変更
【補正の内容】
【００２９】
第１４の発明に係る記録媒体は、第１３の発明に係るプログラムを記録したものである。第１５の発明に係る無線通信装置は、マスタ・スレーブ型のネットワークを形成する無線通信装置である。無線通信装置は、マスタ装置およびスレーブ装置のいずれかを通信先として通信する通信手段と、複数の無線通信装置の中からマスタ装置を特定する情報を記憶する記憶手段と、マスタ装置を特定する情報を用いてマスタ装置と接続する制御手段とを含む。第１６の発明に係る無線通信装置は、第１５の発明の構成に加えて、無線通信装置の記憶手段が、マスタ装置およびスレーブ装置のいずれかから送信されるマスタ装置を特定する情報を記憶する。第１７の発明に係るマスタ・スレーブ型のネットワークを形成する無線通信装置は、第１５または１６のいずれかの発明の構成に加えて、通信手段により他の無線通信装置からのマスタ装置を特定する情報を要求するコマンドを受信した際に、コマンドを送信してきた無線通信装置に対して記憶手段に記憶されるマスタ装置を特定する情報を返信するように通信手段を制御する応答制御手段をさらに含む。第１８の発明に係る無線通信装置は、第１５〜１７のいずれかの発明の構成に加えて、無線通信装置が扱うマスタ装置を特定する情報が、複数の無線通信装置を互いに識別するために各々の無線通信装置に付けられるデバイス名に含ませることで、無線通信装置どうしがデバイス名を交換する際にマスタ装置を特定する情報を知ることが可能である。第１９の発明に係る無線通信装置は、第１５〜１８のいずれかの発明の構成に加えて、無線通信装置が扱うマスタ装置を特定する情報が、マスタ装置に固有のＢＤアドレス情報である。第２０の発明に係る無線通信装置は、第１５〜１９のいずれかの発明の構成に加えて、さらに液晶パネルやＬＥＤランプによる視覚的表現、スピーカーによる聴覚的表現、バイブレータによる触覚的表現のいずれかによる表示手段を有し、ユーザに対して無線通信装置の接続状況を知らせることができる。
【手続補正２１】
【補正対象書類名】明細書
【補正対象項目名】００３０
【補正方法】変更
【補正の内容】
【００３０】
第１４の発明によると、第１３の発明に係るプログラムをコンピュータに実行させるための記録媒体を提供することができる。